(57)【要約】【課題】  色彩可変インキの色彩変化は、必ず「ブルーシフト」となり、同様の色彩変化をするものが一般に容易に入手可能となったことから、もはやセキュリティ対象物の真正性確認には不十分となった。このため、あらたな色彩変化をする色彩可変機能付き真偽判定体を提供する。【解決手段】  この色彩可変機能付き真偽判定体は、反射する光の波長が５００ｎｍ以下の可視領域から紫外領域へとシフトする顔料と、赤外領域から５００ｎｍ以上の可視領域へシフトする顔料とを混合することにより、観察した際にいわゆる「レッドシフト」する色彩可変インキ層と、ホログラム形成層とを有することを特徴とする。【選択図】  図１
2010195001.tif 000002
【特許請求の範囲】
【請求項１】
観察する光の入射角度に応じて、選択的に反射する光の波長が変化する顔料を含む色彩可変インキ層とホログラム形成層からなる色彩可変機能付き真偽判定体であって、
前記入射角度が０度から７０度へと変化する際に、前記顔料の前記選択的に反射する光の波長が５００ｎｍ以下の可視領域から紫外領域へとシフトする顔料と、赤外領域から５００ｎｍ以上の可視領域へシフトする顔料を含むことを特徴とする色彩可変機能付き真偽判定体。
【請求項２】
前記色彩可変インキ層が、その表面にホログラムレリーフを有することを特徴とする請求項１記載の色彩可変機能付き真偽判定体。
【発明の詳細な説明】
【技術分野】
【０００１】
本発明は、商品券、証券、株券などの金券類、クレジットカード、プリペイドカード、IDカードなどの各種カード、切符、紙幣、パスポート、身分証明書、公共競技投票券、ビデオソフト、パソコン用ソフトなど（以下、セキュリティ対象物という。）に使用されている真偽判定シールなどの種々の偽造防止体等を構成する偽造防止効果の優れた色彩可変機能付き真偽判定体に関する。
一般に電磁波は、紫外線、可視光線、赤外線と分類することができるが、本発明においては、可視光線の領域すなわち可視領域を、３６０ｎｍ〜８３０ｎｍ（ＪＩＳ Ｚ８１２０）とし、この可視光線より短波長の光を紫外線、その領域を紫外領域とする。また、この可視光線よりも長波長の光を赤外線、その領域を赤外領域とする。
一般に可視領域は、「紫」：３８０ｎｍ〜４５０ｎｍ、「青」：４５０ｎｍ〜４９５ｎｍ、「緑」：４９５ｎｍ〜５７０ｎｍ、「黄色」：５７０ｎｍ〜５９０ｎｍ、「橙色」：５９０ｎｍ〜６２０ｎｍ、「赤色」：６２０ｎｍ〜７５０ｎｍと分けられているがその変化は連続的であり、この分類は一例とされる。
また、本発明における紫外領域とは、本発明の顔料の特性からその範囲が定まる領域のことをさすが、一般的な近紫外領域：３８０ｎｍ〜２００ｎｍの中の一領域をさす。さらに本発明における赤外領域とは、やはり、本発明の顔料の特性からその範囲が定まる領域のことをさすが、一般的な近赤外領域：８３０ｎｍ〜２５００ｎｍの中の一領域をさす。
本発明は、「観察する光の入射角度」、すなわち「色彩可変インキ層面に対して垂直な方向を基準方向として、その基準方向に対する角度」が「０度から７０度である観察する光」でその色彩可変インキ層面を観察したとき、その入射角に応じて、「選択的に反射する光の波長」（正反射方向へ出て行く光が、入射した光の波長成分の中の選択された一部の波長成分のみとなるという意味。）が変化する性質を有する顔料、すなわち、パール顔料、エフェクト顔料や液晶顔料等を含有した色彩可変インキ層と、通常反射方向とは異なる方向へ所定のホログラム像（回折光を含む。）を再生するホログラム形成層を有する色彩可変機能付き真偽判定体に関する。
【０００２】
パール顔料は、天然雲母薄片（マイカフレークともいう。）に透明な金属酸化物を被覆したものであり、エフェクト顔料は、天然のアルミナフレークや、人工的に合成したアルミナフレーク、酸化珪素フレーク（シリカフレーク）、ホウ珪酸ガラスフレーク等に透明な金属酸化物を被覆したものである。
通常、その色彩可変インキ層を観察し目視判定する際には、その基準方向に対して０度から７０度の角度で行う。８０度〜９０度での観察は特に指定しない限り行われることはない。
また、液晶顔料としては、キラル相を有する液晶構造を持つ三次元架橋物質を用いることができる。特に、波長選択的反射光を有するコレステリック液晶顔料が好適である。
コレステリック液晶は、ネマチック液晶に少量の光学活性化物資（キラル剤）を添加することで誘起され、基準方向に対して一定周期のらせん構造を持つことで液晶層内に一定の屈折率変化を示す層を、幾層も重ねたものとなっている。この屈折率分布を持つ多層構造が、観察するために入射してくる光を波長選択した上で、所定の角度に反射させる性質を現出している。  この選択的反射光の波長は、コレステリック液晶の屈折率値（分布）と、屈折率変化層の厚さ、すなわち多層構造の層間の間隔により定まる。
このコレステリック液晶をフレーク状とし（この状態を、コレステリック液晶顔料という。）、パール顔料と同様の手法により色彩可変インキ組成物とする。
色彩可変インキ層は、色彩可変インキ組成物を用いて、プラスチックフィルム等の表面上に形成して偽造防止体としたもの、若しくは、セキュリティ対象物表面上に直接、各種印刷方法等の適宜な方法により形成したものである。
この色彩可変インキ層に重ねて、若しくは透明基材を介してホログラム形成層を設けて、色彩可変インキ層を透過した光にのみ、ホログラム像を含み且つ、ホログラム再生方向が正反射方向とは異なる方向へその再生像を結像する性質を利用して、色彩可変インキ層の選択的反射光以外の光をその選択的反射光とは異なる方向へ導出し、選択的反射光の色彩を鮮やかとすると同時に、独特の色調によるホログラム再生像を再生して、偽造防止性の高い色彩可変機能付き真偽判定体を提供する。
また、色彩可変インキ層そのものに、ホログラムレリーフを形成したものも、同様の効果を持つ。
【背景技術】
【０００３】
（主なる用途）
本発明の色彩可変機能付き真偽判定体の主なる用途としては、偽造防止分野、具体的には、クレジットカード等の、偽造されて使用されると、カード保持者やカード会社等に損害を与え得るもの、運転免許証、社員証、会員証等の身分証明書、入学試験用の受験票、パスポート等、紙幣、商品券、ポイントカード、株券、証券、抽選券、馬券、預金通帳、乗車券、通行券、航空券、種々の催事の入場券、遊戯券、交通機関や各種電話用のプリペイドカード等がある。
これらはいずれも、経済的、もしくは社会的な価値を有する情報や、本人識別等の情報を保持した情報記録体であり、偽造による損害を防止する目的で、記録体そのものの真正性を識別できる機能を有することが望まれるが、その中でも、その確認方法が目視であって、その目視判定の真正性を証明する機能を有することが特に望まれるものに適用される。
また、上記した用途以外であっても、高額商品、例えば、高級腕時計、高級皮革製品、貴金属製品、もしくは宝飾品等の、しばしば、高級ブランド品と言われるもの、または、それら高額商品の収納箱やケース等も偽造され得るものである。また、量産品でも有名ブランドのもの、例えば、オーディオ製品、電化製品等、または、それらに吊り下げられるタグも、偽造の対象となりやすい。
さらに、著作物である音楽ソフト、映像ソフト、コンピュータソフト、もしくはゲームソフト等が記録された記憶体、またはそれらのケース等も、やはり偽造の対象となり得る。また、プリンター用のトナー、用紙など、交換する備品を純正材料に限定している製品などにも、偽造による損害を防止する目的で、そのものの真正性を識別できる機能を有することが望まれる。
これらのものに、目視判定可能な偽造防止体等を貼付等の形で付加し、その目視判定によって、そのセキュリティ対象物の真正性を証明する。
本明細書において、配合を示す「比」、「部」、「％」などは特に断わらない限り質量基準であり、「／」印は一体的に積層されていることを示す。
【０００４】
（背景技術）
従来から、この種の金券類等の偽造防止を図るために、見る角度によって色彩が変化する色彩可変印刷層を設ける偽造防止技術が行われている。このような色彩可変印刷層は、例えばパールインキなどのように、見る角度によって色が変化する色彩可変インキであって、印刷等により形成されている。色彩が変化するインキは、光を多重反射する顔料を含んでおり、その顔料で反射した光の干渉によって、色が変化して見える。そのため、色変化効果は、顔料で反射する光が多いほどその効果が大きくなる。そこで、光を多重反射する顔料の数が多くなるように、色彩可変印刷層は、その厚みが厚くなるようにスクリーン印刷などの孔版印刷や、グラビア印刷などの凹版印刷で印刷されることが多い。
具体的には、商品券、株券等の印刷媒体へパール印刷等の色彩可変印刷層を設け、その色彩可変印刷層の一部をパターン状に目視不能に隠蔽し、特定情報を形成した偽造防止印刷媒体が提案されている。（例えば、特許文献１参照）。
この印刷媒体では媒体基材の色調と特定情報の色調が同調して見える特徴がある。しかし、一般的なパールインキ自体は、その光学的性能を指定しなければ、入手可能であり、通常の印刷メーカーであれば、パールインキを入手して、マット調のインキをその上に印刷することで、類似の印刷物を作ることは可能である。
【０００５】
そこで、さらに偽造防止性を高めるため、見る角度によって色彩が変化する色彩可変印刷層と、色彩可変印刷層の上に紫外線または赤外線の照射により蛍光発光する光反応印刷層をパターン状に設けた構成の偽造防止印刷媒体（例えば、特許文献２参照）、ないしは、少なくともパール顔料と紫外線照射または赤外線照射により色調が変化する蛍光顔料を含む偽造防止用インキ組成物を使用して、印刷箇所の少なくとも一部分が、単独あるいは複数色以上印刷されている構成の偽造防止印刷物（例えば、特許文献３参照）等が知られている。
また、上記したような観察する角度に依存する多色性を有する他の顔料として、例えば、コレステリック液晶、三次元架橋性樹脂、および光開始剤等からなる組成物を、プラスチックフィルム上にドクター塗布の際の剪断勾配により配向させ形成した後、プラスチックフィルム上から剥離して粉砕することにより得られる液晶顔料等を用いる方法がある。（例えば、特許文献４参照）。
上記の顔料は、見る角度によって色相が異なって見える上、反射光が円偏光となる特徴を有している。通常の複写手段によっては、複製物にこのような光学的特性を備えさせることができないため、液晶顔料を有価証券やクレジットカードの偽造防止対策に用いると、非常に有効である。また、観察する角度により色相が変化するので、意匠的にも優れたものが得られる特徴もある。
【先行技術文献】
【特許文献】
【０００６】
【特許文献１】特開２０００−００６５６４号
【特許文献２】特開２００２−２７４０００号
【特許文献３】特開２００２−２８５０６１号
【特許文献４】特開１９９４−２２０３５０号
【０００７】
しかしながら、これらの色彩可変性を示す顔料において色彩可変性を有するその基本原理は、パール顔料、エフェクト顔料においては、透明な素材である天然雲母薄片（マイカフレーク）や、アルミナフレーク、シリカフレーク、ホウ珪酸ガラスフレークの表面に、可視光波長よりも小さい厚さで、かつ、屈折率がこれらの透明基材より大きい透明金属酸化物薄膜を形成し、この顔料に入射した光をこの薄膜内で多重反射させ、その干渉現象によって、反射する光の波長を選択的なものとしているというものである。
すなわち、光が多重反射するとその多重反射光同士が干渉現象を生じ、反射する光の波長を一つに集約するとともにその強度を増すという光の基本的性質から、反射する光の波長は、透明金属酸化物薄膜の屈折率値や厚さに依存して自動的に決定され、「色彩が変化する」その「変化のパターン」（変化する度合い、変化する範囲等）も一義的に決まる。
この多重反射の効果により、その「変化のパターン」は次のようになる。すなわち、その薄膜に垂直に入射して（基準方向に対しては「角度０°」となる。）、垂直に反射する光の場合と、例えば４５度の角度で入射し、反対方向にやはり４５度で反射する光の場合とでは、選択反射される光の波長が大きく異なり、「（垂直入射後の）垂直反射光」に対し、「（４５度入射後の）４５度反射光」は、理論上、その波長の値が０．７１倍（ｃｏｓ４５°／ｃｏｓ０°≒０．７１より。）となる。
すなわち、ある顔料において、（垂直入射後の）垂直反射光が７００ｎｍ（赤色）であると、（４５度入射後の）４５度反射光は４９０ｎｍ（青色）となる。いわゆる「ブルーシフト」が起こる。
これは、「透明薄膜」（パール顔料における透明金属酸化物薄膜）の基本的性質であり、色彩変化はこの理論に従って画一的に単調に長波長から短波長へと変化（「ブルーシフト」）する。
すなわち、透明金属酸化物薄膜層の厚さや、その屈折率値等により、垂直反射光の色と４５度や７０度反射光の色が一義的に定まるということであり、この変化の流れが常に同じであるということである。従って、上記した種々の色彩可変インキを用いても、その色彩変化の状況は全て同様であり、これらの顔料が普及した結果、同様の色彩変化を確認したときに、そのものが真正なものであると断定できず、もはや偽造防止性を有しているとは言えない状況となっている。
また、液晶顔料は、液晶そのものの中に屈折率の分布を持ち、この屈折率分布が、上記した薄膜と同様の機能を持つことから、同様の選択的反射性を示すもの。従って、反射光の波長変化は、薄膜と同様に「ブルーシフト」となる。
以上のように、「色彩可変インキ」とされているものは、全て同様の変化割合で「ブルーシフト」するため、セキュリティ対象物に種々の色彩可変インキを適用しても、目視にて観察する以上、見え方がほぼ同様であり、目視判定による偽造防止効果という面ではややセキュリティ性に劣っていた。
【発明の概要】
【発明が解決しようとする課題】
【０００８】
そこで、本発明はこのような問題点を解消するためになされたものである。その目的は、
これまでの色彩可変インキにない色彩変化を示す色彩可変インキを提供することにある。
すなわち、透明薄膜の基本的な原理である「ブルーシフト」をせず、例えば、垂直反射光として「青色」を呈し、７０度付近の反射光として「赤色」を呈する、いわゆる「レッドシフト」を呈する色彩可変インキ層と、ホログラム形成層とを積層した色彩可変機能付き真偽判定体を提供する。
【課題を解決するための手段】
【０００９】
上記の課題を解決するために、
本発明の第１の態様は、
観察する光の入射角度に応じて、選択的に反射する光の波長が変化する顔料を含む色彩可変インキ層とホログラム形成層からなる色彩可変機能付き真偽判定体であって、
前記入射角度が０度から７０度へと変化する際に、前記顔料の前記選択的に反射する光の波長が５００ｎｍ以下の可視領域から紫外領域へとシフトする顔料と、
赤外領域から５００ｎｍ以上の可視領域へシフトする顔料
を含むことを特徴とする。
本発明の第１の態様によれば、
観察する光の入射角度に応じて、選択的に反射する光の波長が変化する顔料を含む色彩可変インキ層とホログラム形成層からなる色彩可変機能付き真偽判定体であって、
前記入射角度が０度から７０度へと変化する際に、前記顔料の前記選択的に反射する光の波長が５００ｎｍ以下の可視領域から紫外領域へとシフトする顔料と、
赤外領域から５００ｎｍ以上の可視領域へシフトする顔料
を含むことを特徴とする色彩可変機能付き真偽判定体が提供される。
パール顔料、エフェクト顔料等は、微細なフレーク状であり、色彩可変インキ層となったときに、そのフレークの平坦面がその色彩可変インキ層の形成する面と平行であるとき、理論的に算出される波長を有する反射光を呈することになるが、そのフレークが様々な他の方向を向いていると、そのフレーク上に形成されている透明酸化物薄膜への光の入射角及び反射角がまちまちとなり、その結果所定の反射角度以外の方向に様々な色の反射光（以下、散乱光という。）が生まれる。
さらに、入射した光が、複数のフレークを通過して最終的に反射光となってでてくる場合もある。また、フレークそのものの形状や、フレーク表面の性質、屈折率やその分布もそのフレーク面での反射や、透過光の減衰に影響する。
但し、複数のフレークを通過した光等は、その減衰が大きく、目視観察への影響は小さいものであり、且つ、所定の入射角での光の入射に対して、その光が正反射する角度へ出てくる反射光については、所定の経路を経た光のみが到達するため、波長選択される過程が限られてくる結果、所定の波長の光のみが反射されてくることになる。
この所定の波長の光の強度を確保し、不要な散乱光を低減するために、フレーク形状は扁平、フレーク表面は平滑、透明酸化物薄膜の厚さが均一であって、色彩可変インキ層となったときに、そのインキ層形成面と平行となるフレークの割合が多く、且つ、そのインキ層へ入射した光が、１つ乃至は２つ程度のフレークによってのみ反射され、反射光としてそのインキ層から出てくるよう設計する。
【００１０】
目視観察においては、この散乱光は判定の阻害要因となるため、色彩可変インキ層形成時は、このフレークが色彩可変インキ層の形成する面と平行となるよう、その形成方法を工夫する。例えば、扁平な顔料（扁平率が２〜５の円盤状。扁平率とは、楕円体にあって、長軸長さを短軸長さで割った値。扁平率が２以下では、散乱光が多くなり、扁平率が５以上ではインキ化過程で顔料が変形を受け、やはり散乱光が多くなる。）とした上で、その顔料の大きさ（平均粒径）が例えば１０μｍである場合、色彩可変インキ層の乾燥後の厚さを１／２以下とすると、傾斜した状態の顔料の割合が少なくなり、多くは色彩可変インキ層と平行になる。さらには、この色彩可変インキ層形成方法として、ブレードコーティングのように、コーティング方向に印圧を掛ける等、また、コーティング時、低粘度で色彩可変インキ層を形成し、フレークが自重で重なる時間を確保した後、乾燥時の溶剤蒸発をゆるやかなものとして、その蒸発の際のフレークの押し上げを抑制する等、種々の工夫を施すことにより、その散乱光を低減させることができる。
従って、インキ組成物を組成する際、採用する印刷等の方式によるが、溶剤比率を５０％から９０％とし、固形分（色彩可変インキ層形成成分。顔料、樹脂及び添加材とからなる。）のうち、顔料比率を１０％〜５０％とする。所定の反射光の強度を得るために１０％以上の混合が必要であるが、５０％を超えると顔料間の凝集等、顔料間の相互作用が強く働くようになり、色彩可変インキ層形成面と平行となり難くなる。
色彩可変インキ層形成方法が、紫外線硬化方式や、電子線硬化方式である場合は、溶剤をほとんど使用しなくとも、色彩可変インキを低粘度とすることができ、且つ、色彩可変インキ層を硬化させるまでの時間を確保できるため、自重で重なっていく時間を確保する、もしくはカレンダー処理をする等、フレークを揃える処理をすることが容易となる。
本発明に使用するフレークは透明であるため、これらの電離放射線による形成方法に特に好適である。
【００１１】
もちろん、顔料と樹脂との親和性は重要であり、その接着性が良好なほど、顔料と樹脂界面での反射・透過（屈折）が単純となり、散乱光が少なくなる。顔料の際表面が平滑な面で無い場合には、その界面で複雑な反射や透過（屈折）が生じ、様々な方向へ光が進む。この界面での反射は、本発明の透明金属薄膜層内での多重反射による波長選択性には寄与しない部分であることから、この面は単純に透過することが望ましい。すなわち、平滑であって、反射光が少なく、ほぼ全ての入射光がこの面を単純に透過することが望ましい。
このためには、樹脂と透明金属薄膜との屈折率差が小さいことが望ましく、例えば１．８０以上の屈折率を有する透明金属薄膜に対して、樹脂の屈折率は、１．４０以上、好ましくは１．６０以上あることが好適。
しかし、１．８０近傍の屈折率を有する透明な樹脂は存在しないため、逆に、低い屈折率を有する透明金属薄膜、例えば屈折率１．５０とし、この屈折率と同一の樹脂を採用することにより樹脂と透明金属薄膜との界面での不要な反射をほぼ無くすことができる。
樹脂としては、ポリメチルアクリレート（ｎ＝１．４７）、ポリ酢酸ビニル（ｎ＝１．４７）、ポリ塩化ビニル・酢酸ビニル（ｎ＝１．５４）、メラミン樹脂（ｎ＝１．５６）、エポキシ樹脂（ｎ＝１．６１）、フェノール樹脂（ｎ＝１．６０）等もしくは、この混合体等を適宜用いることができる。
溶剤は、色彩可変インキ層形成方法によって、それぞれ最適なものを選択する。
溶剤としては、エステル類、エーテル類、脂環炭化水素類、脂肪族炭化水素類、芳香族類、アルコール類等及びこれらの混合を用いる。
これらを沸点により、低沸点溶剤（沸点１００度以下）、中沸点溶剤（沸点１００度〜１５０度）、高沸点溶剤（沸点１５０度以上）に分類し、乾燥条件に合わせ、低沸点溶剤と高沸点溶剤を混合して、急激な溶剤揮発を抑え徐々に乾燥するよう工夫する等、フレークが色彩可変インキ層形成面に平行になるよう調整する。
さらに、透明性を配慮した上で、各種添加物、分散剤、レベリング剤、滑剤、可塑剤、カップリング剤、消泡剤、紫外線吸収剤、各種硬化促進剤等を使用する。
色彩可変インキ形成方法は、オフセット印刷、凸版印刷、グラビア印刷、ノズル印刷、カーテンコート印刷、シルクスクリーン印刷、凹版印刷、インクジェット印刷等の種々の方法において、本発明の機能を十分発揮させるために、溶剤組成、インキ粘度の調整や乾燥・硬化方法を工夫して用いることができる。
もちろん、環境に配慮して、ポリビニルアルコール等の水溶性樹脂を使用し、水系インキ組成物とすることも好適である。
【００１２】
パール顔料、エフェクト顔料としては、
天然雲母薄片（マイカフレーク）等に酸化チタン、酸化鉄などの金属酸化物をコートした顔料、合成アルミナフレーク（粒径１〜３０μｍ、厚さ０．５μｍ〜５μｍ、）、合成シリカフレーク（粒径５〜３０μｍ、厚さ０．５μｍ〜５μｍ）、ホウ珪酸ガラスフレークに酸化チタン被覆（粒径１０〜３０μｍ、厚さ０．５μｍ〜５μｍ）、合成マイカフレーク（酸化アルミニウム、酸化マグネシウム、二酸化ケイ素、フッ素化合物等）等に、酸化チタン、酸化鉄などの金属酸化物をコート（５０ｎｍ〜４００ｎｍ被覆）した顔料が使用できる。
人工的に合成したものは、粒径のバラツキが少ないシャープな粒度分布を有し、平滑な表面、均一な形状を持つため、好適である。
また、フレーク表面上に形成されている明金属薄膜の厚さが所定の厚さでないと、所定の反射角度へ反射する光の波長がずれることになる。このため、フレーク上の透明金属薄膜の厚さのばらつきは、±２０％以内、さらには、±１０％以内である必要がある。２０％で、波長ばらつきは、ほぼ１７％。１０％では、ほぼ１０％程度となる。
もちろん、透明金属薄膜の屈折率のばらつきにより、この波長は変化するが、液相法やＣＶＤ法（化合物気相蒸着法）等で形成する精度は非常に高く、本発明の色彩変化に影響するほどのばらつきはない。
この透明金属薄膜を二酸化チタン（酸化度によりその屈折率は変化する。）とし、その厚さを、９０ｎｍ〜１００ｎｍとすると、垂直反射光は赤外領域となり、垂直方向から観察しても色彩を認識することができないが、６０度〜７０度の反射光では、赤色の反射光（「赤色」：６２０ｎｍ〜７５０ｎｍ）を呈するため、斜めからの観察において、赤色を認識することができる。
【００１３】
この厚さを３００ｎｍ〜３３０ｎｍとすると、垂直反射光は青色（「青」：４５０ｎｍ〜４９５ｎｍ）となるが、観察角度を大きくしていくと、反射光が紫外領域に入るため、もはや色彩を認識することができなくなる。
従って、フレーク表面上に形成されている透明金属薄膜に酸化チタンの厚さ１００ｎｍのものと、３００ｎｍを混合したインキとし、そのインキを用いてインキ層を形成すると、
垂直反射光として「青色」を呈し、７０度での観察において「赤色」を呈する、言わば「レッドシフト」を示す色彩可変インキを作成することができる。
色彩可変インキ層を形成したとき、それぞれの顔料が均一に分布していると、その切り替わり性能が鮮明になるため、そのフレークの大きさを異なるものとすることで、大きなフレークの隙間に小さなフレークが分布して、敷き詰めるように形成させ、且つ、その垂直断面積（観察側から見た反射する部分の面積）がほぼ同一となるようにその粒径を調整することが望ましい。
もちろん、「レッドシフト」の色彩変化を「青色」を強調しておき、観察角度を大きくしていったとき、わずかに「赤色」を呈する等の種々のバリエーションにあわせ、その混合比等を調整する必要がある。
また、「青色」〜「赤色」への変化を、補間してその変化を滑らかなものとする等、その変化を特徴あるものとするため、「青色」用の顔料からの反射光の量と、「赤色」用の顔料からの反射光の量の調節（反射する面積の調節、すなわち扁平な顔料の扁平面の面積の和の調節）の他に、反射する波長域が比較的狭く、「青色」と「赤色」の間の色を呈する顔料を加えることも好適である。例えば「緑色」とするが、この場合は、反射角度３０度〜４０度でのみブラッグ反射を生じる顔料を加える。これは、後述するように選択波長性の強い液晶顔料により得られる。また、パール顔料、エフェクト顔料の透明金属薄膜を多層とすることによっても得られる。
さらに、「青色」、「赤色」等の特定反射角度に反射する反射光強度を、色彩可変顔料の形状や添加量により制御できるため、「ブルーシフト」の仕方を真正なインキ製造者のみが知りうる複雑なものとすることで、高い偽造防止効果を得ることができる。
以上のごとく、  前記入射角度が０度から７０度へと変化する際に、前記顔料の前記選択的に反射する光の波長が、
５００ｎｍ以下の可視領域から紫外領域へとシフトする顔料と、赤外領域から５００ｎｍ以上の可視領域へシフトする顔料とを混合し、適宜な樹脂、溶剤及び、添加剤を加えて、顔料の凝集を解くための分散処理を施して、本発明の色彩可変インキを得る。
特に、２種の顔料を同一製造方法にて作成した場合は、透明酸化物薄膜の厚さのみが異なり、フレークの大きさ、形状等が同一（すなわち、インキ化する際の顔料としての物理的性質が同一）であるため、色彩可変インキ組成物作成の際、さらには、色彩可変インキ層形成時に、その組成物や、そのインキ層の中の顔料分布を均一に維持することができる。
【００１４】
液晶顔料は、キラル相を有する液晶構造を持つ三次元架橋物質を用いることができる。キラル相を有する液晶物質としては、種々のコレステリック液晶を使用することが出来、ネマチック、スメクチック、もしくはディスコチック構造にキラル物質を加えることによって製造することが出来る。
三次元架橋性樹脂としては、重合性基、重縮合性基、もしくは重付加の可能な基を有するもので、これらの基の一部は、２官能以上の多官能基であることが望ましく、例えば、メタクリルオキシ基、もしくはアクリルオキシ基である。より好ましい三次元架橋性樹脂としては、ポリオルガノシロキサンを挙げることができる。
上記の両者は、混合後、加熱還流して反応させ、生成物を単離する。得られた生成物に、さらに光重合開始剤を溶融混合して塗布用組成物とし、この塗布用組成物を、ポリエチレンテレフタレート樹脂フィルム上にホットメルトコーティングし、ドクターにより配向を行なってから、紫外線を照射して塗膜を架橋させ、架橋した塗膜をフィルム上より分離し、最後に、粉砕機にかけて粉末化して液晶顔料とする。
液晶顔料には、インキ組成物中での分散性を向上させる目的で、液晶顔料の表面に、有機高分子、オリゴマー、もしくは低分子の分散剤を０．０１ｍｇ／ｍ2程度以上有していてもよい。
コレステリック液晶は、ネマチック液晶に少量の光学活性化物資（キラル剤）を添加することで誘起され、基準方向に対して一定周期のらせん構造を持つことで、液晶層内に屈折率変化を示す層を幾層も重ねたものとなっている。この屈折率分布を持つ多層構造が、観察するために入射してくる光を所定の角度に波長選択した上で、反射させる性質を持たせている。
この選択的反射光の波長は、コレステリック液晶の屈折率（分布）と、屈折率変化層の間隔により定まる。この間隔は、三次元架橋性樹脂の分子長、官能基の位置及び、キラル物質の添加量等で調整する。
従って、液晶そのものの中に屈折率の分布を持ち、この屈折率分布が、上記した薄膜を多層に積層（コレステリック液晶の捩れが一周する部分が１層となり、この層が繰り返し存在する。）したものと同様の効果を醸し出すことにより、選択的反射性を示すものであって、反射光の波長は、薄膜と同様に「ブルーシフト」する。
【００１５】
但し、この層の数が多くなると、「ブラッグ反射」を生じて単一の波長のみ（反射する波長の幅が狭まるという意味。）所定の角度へ反射するようになる。従って、液晶顔料の中の屈折率分布が、この層の数を３層以上２０層以下（１層は２００ｎｍ〜１０００ｎｍ）になるよう液晶顔料の厚さを設定し、入射角度０度〜７０度において必要な反射光を有するものとする。その層の数が３層未満では、波長選択性が不十分であり、２０層を越えると反射波長の幅が５０ｎｍ以下となり、反射角度も制限される。好ましくは、５層以上、１０層以下とすると、波長選択性と反射角度の幅が所望のものとなる。
すなわち観察する光の入射角度が０度から７０度へと変化する際に、その選択的に反射する光の波長が、５００ｎｍ以下の可視領域から、紫外領域へとシフトする状況とするためにブラッグ反射条件の緩和が必要であり、同様の手法により、赤外領域から５００ｎｍ以上の可視領域へシフトする状況とすることができる。もちろん、定めた角度の全域で強い反射光を発する必要はなく、色彩変化の連続性を真偽判定する際に、その連続性が認識できるよう設定する。
このコレステリック液晶（硬化等により樹脂状となっている。）をフレーク状とし、パール顔料と同様に、観察する光の入射角度が０度から７０度へと変化する際に、前記顔料の前記選択的に反射する光の波長が、５００ｎｍ以下の可視領域から紫外領域へとシフトする顔料と、赤外領域から５００ｎｍ以上の可視領域へシフトする顔料を、混合して色彩可変インキ組成物とする。
液晶顔料をインキ化する際の樹脂として、種々のインキ用樹脂が使用できるが、特に電離放射線硬化性樹脂がその硬化性、物理特性の高さより好適である。電離放射線硬化性樹脂には、脂肪族系アクリレート、環状脂肪族系アクリレート、やこれらのメタクリレートのようなアクリル系のものが使用できる。さらには、ビニル系光重合性モノマーもしくはオリゴマーを使用することができる。
また、液晶顔料をインキ化する際の樹脂として、ロジン等の天然樹脂や大豆油変性アルキド樹脂等の酸化重合性樹脂や、アクリル樹脂、ポリエステル、ポリ酢酸ビニル、メラミン樹脂、エポキシ樹脂、フェノール樹脂等もしくは、これらの混合体や、共重合体等を適宜用いることができる。
その他の添加剤は、パール顔料等を用いた色彩可変インキ組成物と同様のものを用いることができる。
【００１６】
これらの色彩可変インキ組成物を用いて、適宜な印刷方法により色彩可変インキ層を形成すると、観察する光の入射角度が０度から７０度へと変化する際に、反射する光の波長が、あたかも「レッドシフト」するかのごとく観察される。
この色彩可変インキ層の一方の面に、ホログラム形成に用いられる透明な樹脂層を形成し、その透明な樹脂層の色彩可変インキ層と反対の面に、ホログラム画像（回折格子を含む。）を形成してある原盤（ホログラム原盤。）を重ねて適宜な加熱・加圧することによりそのホログラム原盤に形成されているホログラムレリーフをその透明な樹脂層に転写することでホログラム形成層を設ける。
また、ホログラム形成に用いられる樹脂を、電離放射線硬化タイプの樹脂として、そのホログラム原盤を重ねた後、適宜な電離放射線を照射して、ホログラムレリーフとすることもできる。この時、色彩可変インキ層は、その色彩可変インキ層に対して垂直方向に照射される電離放射線に対して透明であり、好適である。
さらに、ポリエチレンテレフタレート等の透明基材に色彩可変インキ層を設け、その反対側にホログラム形成層を設けてもよく、この場合はホログラム形成用の樹脂選定の自由度が高くなると同時に、ホログラム形成時の過熱、加圧条件の設定幅が広くなる。
観察する光によってホログラム形成層のホログラムレリーフ面を照明する（参照光と呼ぶ。）と、所定の方向にその参照光を回折し、所定の位置にホログラム像を結像する性質を持つ。
ホログラムレリーフには、反射層を設けてもよく、可視光を全反射する金属反射性薄膜または、可視光の一部を反射し、一部を透過する透明反射性薄膜を設けることができる。
本発明の色彩可変機能付き真偽判定体は、色彩可変インキ層とホログラム形成層を重ねているため、この色彩可変機能付き真偽判定体を観察する光は、まず色彩可変インキ層により所定の光（選択的反射光）が、その層において正反射方向へ反射され、独特の色調を醸し出すが、反射せず透過した光（選択的反射光の補色となる。）は、ホログラム形成層に達して、そのホログラム形成層に形成してあるホログラムレリーフで反射され、正反射方向とは異なる方向へその色調によって形成されたホログラムを結像する。これらの正反射光とホログラムは、観察する光の入射角度により、それぞれ独特の色調を帯びて観察される。
従って、本発明の色彩可変機能付き真偽判定体は、「レッドシフト」効果と、独特の色調を呈するホログラム像のそれぞれを目視にて確認することができ、目視による簡易で且つ高い精度の真偽判定を行うことができる。
さらには、色彩可変インキ層をセキュリティ対象物のデザインに調和するデザインやセキュリティマークとしてパターン状としてもよく、また、ホログラムデザインとの組み合わせによりパターン状としてもよい。これらの関連性が偽造防止性を高めることになる。色彩可変インキ層をパターン状とする手法は、種々の印刷方法を用いることができる。
【００１７】
観察する光を０度で入射した際、ホログラム画像は「青色」の補色であるため、この結像方向を４５度方向へ向けると「青色」及び「赤色」反射光の無い部分であり、鮮明にその再生像を確認することができる。また、敢えて、この結像方向を６０とすると、「赤色」反射光の中に隠れてホログラム画像を観察することができる。
さらには、このホログラム画像０度方向に結像させると、「青色」の補色光でホログラム画像が結像するため、白色光に近い状態で観察され、「青色」を遮断するフィルム（光学フィルター。）を通して観察して初めてホログラム画像を観察できる等の新規な偽造防止性を付与することも可能となる。
また、赤色」を呈する顔料を「青色」を呈する顔料より少なくし、同量以下さらには、１／９まで少なくすることで、この意外性を高めることができる。すなわち、垂直方向での観察時に、最初から青色を呈し、少し角度を変えて、不可視領域（紫外領域）に入り、色彩が消失すると、その時点で観察を終え、さらに観察角度を大きく取って、６０度〜７０度になって、再び別の色彩である「赤色」を呈するとは、なかなか気づかない。「青色」を呈した後、観察角度を変化させた時に、ある程度大きな角度すなわち５０度〜７０度程度までを不可視領域（紫外領域部分と、赤外領域部分が重なり、色彩が消失したように見える領域。）とし、さらに大きく傾けた時に突然「赤色」を呈するように設計することも好適である。その意外性、すなわち、色彩の消失度合いが強い程（散乱光による色彩がなく、無色の状態が続く程）、偽造防止性が高まることになる。
本発明の第２の態様は、
前記色彩可変インキ層が、その表面にホログラムレリーフを有することを特徴とする。
本発明第２の態様によれば、
前記色彩可変インキ層が、その表面にホログラムレリーフを有することを特徴とする請求項１記載の色彩可変機能付き真偽判定体を提供することができる。
上記したホログラムレリーフ形成に用いるホログラム原盤を、色彩可変インキ層そのものに重ねて、上記した方法と同様の方法により、色彩可変インキ層の表面にホログラムレリーフを形成することができる。
ホログラムレリーフの凹凸は、０．０１μｍ程度と微細であり、色彩可変インキ層が色彩可変インキ用顔料を敷き詰めたものであっても、色彩可変インキ層を形成する透明な樹脂上に十分な形成できる。ホログラムレリーフを照明する光及び、そのホログラムレリーフで反射されて、再び、色彩可変インキ層を透過してでてくる光（ホログラムを結像する光。）は色彩可変インキ用顔料等で複雑に屈折されると、そのホログラム結像に寄与しなくなるため、色彩可変インキ用顔料が種々の方向を向いて光を散乱するものであると、結像したホログラムを観察できなくなる。
従って、色彩可変インキ層は、その色彩可変インキ用顔料がその色彩可変インキ層面と平行に敷き詰められ、単純な経路をたどって光を透過させる状態、すなわち透過する光の波面を複雑なものとせず、単純なまま（観察する光の波面は幾何的に非常に単調である。）透過するものであればあるほど望ましい。
また、ホログラムレリーフには、反射層を設けてもよく、可視光を全反射する金属反射性薄膜または、可視光の一部を反射し、一部を透過する透明反射性薄膜を設けることができる。
物理的な面でも、ホログラムレリーフを色彩可変インキ層に直接形成することで、色彩可変機能付き真偽判定体の全体厚さを抑えられ、転写ホイルや、転写箔等への応用を容易とすることができる。
【発明の効果】
【００１８】
本発明の色彩可変機能付き真偽判定体によれば、
観察する光の入射角度に応じて、選択的に反射する光の波長が変化する顔料を含む色彩可変インキ層において、その入射角度が０度から７０度へと変化する際に、顔料の選択的に反射する光の波長が、
「青色」から変化して、「赤色」を呈する。言わば「レッドシフト」を呈する新規な色彩可変インキ層を提供し、且つ、独特の色調を有するホログラム像を合わせて再生することができ、その新規性により、種々のセキュリティ製品へ適用して、その真正性を証明することが可能となる。
また、顔料の混合比を調整することにより、色彩変化を調節することができ、意外な色彩変化等を醸し出して、さらに偽造防止性を高めることができる。
【図面の簡単な説明】
【００１９】
【図１】本発明の１実施例を示す色彩可変機能付き真偽判定体Ａの断面図であって観察する光が色彩可変機能付き真偽判定体に垂直（基準方向）に入射し、反射する光が垂直に反射している図である。
【図２】本発明の別の実施例を示す色彩可変機能付き真偽判定体Ａ´の断面図である。
【発明を実施するための形態】
【００２０】
以下、本発明の実施形態について、図面を参照しながら、詳細に説明する。
（色彩可変インキ組成物）
本発明の色彩可変インキ層１を形成する色彩可変インキ組成物は、その光学的特性が異なる２種類の顔料を含む。この２種類の顔料は、それぞれ観察する光の入射角度に応じて、選択的に反射する光の波長が変化する顔料であって、適宜な樹脂及び溶剤等に分散され、色彩可変インキ組成物としてプラスチックフィルム等の表面上に形成して偽造防止体とするか、若しくは、セキュリティ対象物表面上に直接、各種印刷方法等の適宜な方法により形成することにより、色彩可変インキ層１となって、種々の場面での目視観察による真偽判定や、真正性証明に用いられる。
（色彩可変顔料）
本発明に用いられる色彩可変顔料１ａは、
色彩可変インキ層１への観察する光の入射角度が０度から７０度へと変化する際に、それぞれの顔料において、そして最終的には色彩可変インキ層１から出て行く光として、選択的に反射する光の波長が、５００ｎｍ以下の可視領域から紫外領域へとシフトする顔料と、赤外領域から５００ｎｍ以上の可視領域へシフトする顔料とからなる。
その顔料としては、パール顔料、エフェクト顔料等及び、液晶顔料が用いられる。
パール顔料としては、
メルク社製イリオジン１００シルバーパール、１０３ルチルスターリングシルバー、１１１ルチルファインサティン、１２０ラスターサティン、１２３ブライトラスター、１５１ルチルパール、１５３フラッシュパール、１６３、シンマーパール、１８３スーパーノバホワイト、２０１ルチルファインゴールド、２１１ルチルファインレッド、２２１ルチルファインブルー、２２３ルチルファインライラック、２３１ルチルファイングリーン、２０５ルチルプラチナム、２１５ルチルレッドパール、２１７ルチルカパーパール、２１９ルチルライラックパール、２２５ルチルブルーパール、２３５ルチルグリーンパール、２４９フラッシュゴールド、２５９フラッシュレッド、２８９フラッシュブルー、２９９フラッシュグリーン、３００ゴールドパール、３０２ゴールドサティン、３０３ロイヤルゴールド、３０６オリンピックゴールド、３０９メダリオンゴールド、３２０ブライトゴールド、３２３ロイヤルゴールド、３５１サニーゴールド、３５５グリターゴールド、５００ブロンズ、５０２レッドブラウン、５０４レッド、５０５レッドバイオレット、５０７シーラブレッド、５２０ブロンズサティン、５２２レッドブラウン、５２４レッドサティン、５３０グリターブロンズ、５３２グリターレッドブラウン、５３４グリターレッド等が使用される。
【００２１】
さらに、佐野塗料社製パールグレーズＭＭ−１００Ｒ、ＭＦ−１００、ＭＦ−１００ＲＮ、ＭＥ−１００、ＭＳ−１００Ｒ、ＭＹ−１００ＲＦ、ＭＲＢ−１００ＲＦ、ＭＶ−１００ＲＦ、ＭＢ−１００ＲＦ、ＭＧ−１００ＲＦ、ＭＣ−３０２、ＭＣ−３２３Ｒ、ＭＣ−３２６Ｒ、ＭＣ−５２０、ＭＣ−５２２、ＭＣ−５２４等、
ＢＡＳＦ社製ＤＥＳＥＲＴ ＲＥＦＬＥＣＴＩＯＮＳ ＣＡＮＹＯＮ ＳＵＮＳＥＴ、ＤＥＳＥＲＴ ＲＥＦＬＥＣＴＩＯＮＳＰＡＩＮＴＥＤ ＤＥＳＥＲＴ ＰＬＵＭ、ＴＩＭＩＣＡ ＳＩＬＫ ＷＨＩＴＥ、ＴＩＭＩＣＡ ＮＵ−ＡＮＴＩＱＵＥ ＳＩＬＶＥＲ、ＦＬＡＭＥＮＣＯ ＳＡＴＩＮ ＢＬＵＥ、ＦＬＡＭＥＮＣＯ ＳＡＴＩＮ ＰＥＡＲＬ  ３５００、ＣＬＯＩＳＯＮＮＥ ＲＥＤ、ＣＬＯＩＳＯＮＮＥ ＶＩＯＬＥＴ、ＣＬＯＩＳＯＮＮＥ ＢＬＵＥ、ＣＬＯＩＳＯＮＮＥ ＳＡＴＩＮ  ＢＲＯＮＺＥ、ＳＡＴＡＩＮ  ＢＬＵＥ、ＤＵＯＣＲＯＭＥ ＲＯ、ＤＵＯＣＲＯＭＥ ＲＯ、ＤＵＯＣＲＯＭＥ ＶＢ、ＧＥＭＴＯＮＥ ＧＡＲＮＥＴ、ＧＥＭＴＯＮＥ ＭＡＵＶＥ ＱＵＡＲＴＺ、ＣＥＬＬＩＮＩ ＲＥＤ、ＣＥＬＬＩＮＩ ＢＬＵＥ、ＲＥＦＬＥＣＫＳ ＲＡＹＳ ＯＦ ＲＥＤ、ＲＥＦＬＥＣＫＳ ＢＥＡＭＳ ＯＦ ＢＬＵＥ、ＣＨＲＯＭＡ−ＬＩＴＥ ＤＡＲＫ  ＢＬＵＥ、ＣＨＲＯＭＡ−ＬＩＴＥ ＭＡＧＥＮＴＡ、ＣＯＳＭＩＣＡ ＢＬＵＥ、ＲＥＤ、ＯＲＡＮＧＥ等が用いられる。
エフェクト顔料として、
メルク社製シラリックＦ６０−５０ＳＷ ＦＩＲＥＳＡＩＤＥ ＣＯＰＰＥＲ，Ｆ６０−５１ＳＷ ＲＡＤＩＡＮＴ ＲＥＤ，Ｔ６０−１０ＳＷ ＣＲＹＳＴＡＬ ＳＩＬＶＥＲ，Ｔ６０−２０ ＳＷ ＳＵＮＢＥＡＭＥ ＧＯＬＤ，Ｔ６０−２１ ＳＷ ＳＯＬＡＲＩＳ ＲＥＤ，Ｔ６０−２３ ＳＷ ＧＡＬＡＸＹ ＢＬＵＥ，Ｔ６０−２４ ＳＷ ＳＴＥＬＬＡＲ ＧＲＥＥＮ，Ｔ６０−２２ ＷＮＴ ＡＭＥＴＨＹＳＴ ＤＲＥＡＭ，Ｔ６０−２５ ＳＷ ＣＯＳＭＩＣ ＴＵＲＱＵＯＩＳＥ等。
また、メルク社製カラーストリーム Ｆ２０−００ＷＮＴ ＡＵＴＡＭＮ ＭＹＳＴＥＲＹ，Ｆ２０−０１ＷＮＴ ＶＩＯＬＡ ＦＡＮＴＡＳＹ，Ｆ２０−０２ ＡＲＣＴＩＣ ＦＩＲＥ，Ｆ２０−０３ ＴＲＯＰＩＣ ＳＵＮＲＩＳＥ，Ｆ２０−０３ ＬＡＰＩＳ  ＳＵＮＬＩＧＨＴ，ＭＩＲＡＶＡＬ ５４１１ ＭＡＧＩＣ ＷＨＩＴＥ，５３１１ ＳＥＮＩＣ ＷＨＩＴＥ
メルク社製バイフレアー４９、８３、８４、Ｌ２００、ミナテック ２３０Ａ−ＩＲ、ピリズマＴ４０−２０ＳＷ  ＹＥＬＬＯＷ，Ｔ４０−２１ＳＷＲＥＤ，Ｔ４０−２２ ＳＷ ＶＩＯＬＥＴ，Ｔ４０−２３ ＢＬＵＥ，Ｔ４０−２４ ＧＲＥＥＮ，Ｔ４０−２５ ＴＵＲＱＵＯＩＳＥ，Ｔ４０−２７ ＩＮＤＩＧＯ等。
さらに、メルク社製ミラバルＳＣＥＮＩＣ ＷＨＩＴＥ，ＳＣＥＮＩＣ ＧＯＬＤ，ＳＣＥＮＩＣ ＣＯＰＰＥＲ，ＳＣＥＮＩＣ ＴＵＲＱＯＩＳＥ，ＭＡＧＩＣ ＷＨＩＴＥ，ＭＡＧＩＣ ＧＯＬＤ，ＭＡＧＩＣ ＣＯＰＰＥＲ，ＭＡＧＩＣ ＲＥＤ，ＭＡＧＩＣ ＬＩＬＡＣ，ＭＡＧＩＣ ＢＬＵＥ，ＭＡＧＩＣ  ＴＵＲＱＵＯＩＳＥ，ＭＡＧＩＣ ＧＲＥＥＮ等を使用することができる。
【００２２】
（コレステリック液晶顔料）
コレステリック液晶顔料のもととなるコレステリック液晶としては、コレステロールのハロゲン化物、モノカルボン酸コレステロールエステル、モノカルボン酸シトステロールエステル、安息香酸誘導体のコレスタノールエステル、二塩基酸ジコレステリルエステル、主鎖型液晶高分子化合物、側鎖型液晶高分子化合物、剛直主鎖型液晶高分子化合物などが挙げられる。
より具体的には、例えばコレステリルクロライド、コレステリルアセテート、コレステリルノナノエート、炭酸メチルコレステロール、炭酸エチルコレステロール、コレステリルｐ−メトキシベンゾエート、シトステロイルベンゾエート、シトステロイルｐ−メチルベンゾエート、コレスタニルベンゾエート、１０、１２−ドコサジインジカルボン酸ジコレステリルエステル、８、１２−エイコサジカルボン酸ジコレステリルエステル、１０、１２−ペンタコサジインジカルボン酸ジコレステリルエステル、ドデカジカルボン酸ジコレステリルエステル、１２、１４−ヘキサコサジインジカルボン酸ジコレステリルエステル、４−（７−コレステリルオキシカルボニルヘプチルオキシ）フェノキシオクタン酸コレステリルエステル、Ｌ−グルタミン酸−γ−ベンジル／Ｌ−グルタミン酸−γ−ドデシル共重合体などがある。
さらに、コレステリルホルメート、コレステリルアセテート、コレステリルプロピオネート、コレステリルブチレート、コレステリルペンタネート、コレステリルヘキサネート、コレステリルヘプタネート、コレステリルオクタネート、コレステリルノナノエート、コレステリルデカネート、コレステリルドデカネート（コレステリルラウレート）、コレステリルミリステート、コレステリルパルミテート、コレステリルステアレート、コレステリルオレエート、コレステリルオレイルカーボネート、コレステリルリノレート、コレステリル１２−ヒドロキシステアレート、コレステリルメルカプタン、コレステロールクロライド、コレステリルフルオライド、コレステリルブロマイド、コレステリルアイオダイド等を挙げることができる。
好ましくは、アルキルコレステロール（例えばコレステロールナノエート）およびコレステリルハライド（例えばコレステロールクロライド）コレステリルオレイルカーボネート３種の混合物が挙げられ、これらの３つのタイプの液晶は常温で使用できるように混合して用いられるのが一般的である。
尚、ここに示す化合物に限定されるものではなく、またこれらのコレステリック液晶化合物は、１種または２種以上混合して用いることができる。
ネマチック液晶化合物にカイラル化合物を加えてコレステリック液晶とするものとしては、液晶化合物として、４−置換安息香酸４’−置換フェニルエステル、４−置換シクロヘキサンカルボン酸４’−置換フェニルエステル、４−置換シクロヘキサンカルボン酸４’−置換ビフェニルエステル、４−（４−置換シクロヘキサンカルボニルオキシ）安息香酸４’−置換フェニルエステル、４−（４−置換シクロヘキシル）安息香酸４’−置換フェニルエステル、４−（４−置換シクロヘキシル）安息香酸４’−置換シクロヘキシルエステル、４−置換４’−置換ビフェニル、４−置換フェニル４’−置換シクロヘキサン、４’−置換シクロヘキサン、２−（４−置換フェニル）−５−置換ピリジン等、が用いられる。
【００２３】
さらに、少なくとも分子の一方の末端にシアノ基又はフッ素原子を有する液晶化合物を用い、これらの液晶化合物にそれぞれ好適な各種のカイラル剤を加えたものが用いられる。カイラル化合物としては、「ＣＢ−１５」、「Ｃ−１５」（以上、ＢＤＨ社製）、「ＣＭ−２１」、「ＣＭ−２２」、「ＣＭ−１９」、「ＣＭ−２０」、「ＣＭ」（以上、チッソ社製）、「Ｓ１０８２」、「Ｓ−８１１」、「Ｒ−８１１」（以上、メルク社製）、等を挙げることができる。
さらに、三次元架橋可能な液晶性の重合性モノマー分子または重合性オリゴマー分子を用いることができる。所定の重合性モノマー分子または重合性オリゴマー分子に任意のカイラル剤を添加することにより、コレステリック型液晶分子を含む層を得ることができる。
三次元架橋可能なモノマー分子としては、例えば特開平７−２５８６３８号公報や特表
平１０−５０８８８２号公報で開示されているような、液晶性モノマーおよびキラル化合
物の混合物がある。より具体的な例を示すと、例えば下記一般化学式（１）〜（１１）に
示されるような液晶性モノマーを用いることができる。尚、一般化学式（１１）で示され
る液晶性モノマーの場合、Ｘは２〜５の範囲の整数であることが望ましい。
【００２４】
【化１】
2010195001.tif 000003
【００２５】
【化２】
2010195001.tif 000004
【００２６】
【化３】
2010195001.tif 000005
【００２７】
【化４】
2010195001.tif 000006
【００２８】
【化５】
2010195001.tif 000007
【００２９】
【化６】
2010195001.tif 000008
【００３０】
【化７】
2010195001.tif 000009
【００３１】
【化８】
2010195001.tif 000010
【００３２】
【化９】
2010195001.tif 000011
【００３３】
【化１０】
2010195001.tif 000012
【００３４】
【化１１】
2010195001.tif 000013
【００３５】
また、カイラル剤としては、例えば下記一般化学式（１２）〜（１４）に示されるよう
なカイラル剤を用いることができる。尚、一般化学式（１２）、（１３）で示されるカイ
ラル剤の場合、Ｘは２〜１２の範囲の整数であることが望ましく、また、一般化学式（１
４）で示されるカイラル剤の場合、Ｘが２〜５の範囲の整数であることが望ましい。
【００３６】
【化１２】
2010195001.tif 000014
【００３７】
【化１３】
2010195001.tif 000015
【００３８】
【化１４】
2010195001.tif 000016
【００３９】
また、オリゴマー分子を用いる場合は、例えば特開昭５７−１６５４８０号公報で開示
されているようなコレステリック相を有する環式オルガノポリシロキサン化合物を用いる
ことができる。例えば、重合性モノマー分子または重合性オリゴマー分子に、カイラル剤
を数％〜１０％程度添加することによりコレステリック液晶層を得ることができる。
また、有機合成によって得られるネマチック液晶の末端基に不斉炭素を有する基を導入したコレステロール基を持たないコレステリック液晶や、コレステロール誘導体にシッフ系ネマチック液晶を加えた混合液晶も用いられる。さらには、天然コレステロールのハロゲン置換物、エステル化物（コレステリルベンゾエート、コレステリルクロライド、コレステリルオリエート、コレステリルノナノエート等も好適である。
特に好適には、ネマチック、スメクチック、もしくはディスコチック構造にキラル物質を加えて作成されるキラル相を有する液晶構造を有し、重合性基、重縮合性基、もしくは重付加の可能な基を有する、例えば、メタクリルオキシ基、もしくはアクリルオキシ基等の２官能以上の多官能基を持つ配向三次元架橋物質を用いることができる。三次元架橋性樹脂として、ポリオルガノシロキサンは、その性能安定性、作業性等より最も好適である。
上記の両者を、混合後、加熱還流して反応させ、生成物を単離する。得られた生成物に、さらに光重合開始剤を溶融混合して塗布用組成物とし、この塗布用組成物を、ポリエチレンテレフタレート樹脂フィルム上にホットメルトコーティングし、ドクターにより配向を行なってから、紫外線を照射して塗膜を架橋させ、架橋した塗膜をフィルム上より分離し、最後に、粉砕機にかけて粉末化して液晶顔料とする。
いずれにしても、一度膜状（樹脂状）に形成した後、破砕、裁断等の小片化工程を経てフレーク状とする。
インキ組成物中での分散性を向上させる目的で、液晶顔料の表面に、有機高分子、オリゴマー、もしくは低分子の分散剤を０．０１ｍｇ／ｍ2程度以上有するものも好適である。
【００４０】
（パール顔料等インキ）
パール顔料等インキに使用される樹脂としては、ポリメチルメタクリレート（屈折率ｎ＝１．４９）、ポリメチルアクリレート（ｎ＝１．４７）、ポリベンジルメタクリレート（ｎ＝１．５７）、ポリブチルアクリレート（ｎ＝１．４４）、ポリイソブチルアクリレート（ｎ＝１．４８）、硝酸セルロース（ｎ＝１．５４）、メチルセルロース（ｎ＝１．５０）、セルロース・アセテートプロピオネート（ｎ＝１．４７）、ポリスチレン（ｎ＝１．６０）、ポリエチレンテレフタレート（ｎ＝１．６４）、ポリ酢酸ビニル（ｎ＝１．４７）、ポリ塩化ビニル・酢酸ビニル（ｎ＝１．５４）、メラミン樹脂（ｎ＝１．５６）、エポキシ樹脂（ｎ＝１．６１）、フェノール樹脂（ｎ＝１．６０）等もしくは、この混合体等を適宜用いることができる。
溶剤は、色彩可変インキ層形成方法によって、それぞれ最適なものを選択する。
溶剤としては、エステル類：酢酸エチル、酢酸プロピル、酢酸イソプロピル、酢酸ブチル、酢酸イソブチル、酢酸ペンチル等、エーテル類：エチルエーテル等、ケトン類：メチルエチルケトン、イソブチルケトン、メチルイソブチルケトン等、グリコールエーテル（セルソルブ）類：エチレングリコールモノエチルエーテル、エチレングリコールモノエチルエーテル、エチレングリコールモノブチルエーテル、エチレングリコールモノエチルエーテルアセテート等、脂環炭化水素類：シクロヘキサノン、メチルシクロヘキサノン、メチルシクロヘキサノール等、脂肪族炭化水素類：ノルマルへキサン等、芳香族類：トルエン、キシレン等、アルコール類：エタノール、イソプロピルアルコール、ノルマルブタノール、ノルマルアミルアルコール、イソアミルアルコール、イソブタノール等及びこれらの混合を用いる。
これらを沸点により、低沸点溶剤（沸点１００度以下）、中沸点溶剤（沸点１００度〜１５０度）、高沸点溶剤（沸点１５０度以上）に分類し、乾燥条件に合わせ、低沸点溶剤と高沸点溶剤を混合して、急激な溶剤揮発を抑え徐々に乾燥するよう工夫する等、フレークが色彩可変インキ層形成面に平行になるよう調整する。
さらに、透明性を配慮した上で、各種添加物、分散剤、レベリング剤、滑剤、可塑剤、カップリング剤、消泡剤、紫外線吸収剤、各種硬化促進剤等を使用する。
色彩可変インキ形成方法は、オフセット印刷、凸版印刷、グラビア印刷、ノズル印刷、カーテンコート印刷、シルクスクリーン印刷、凹版印刷、インクジェット印刷等の種々の方法において、本発明の機能を十分発揮させるために、溶剤組成、インキ粘度の調整や乾燥・硬化方法を工夫して用いることができる。
もちろん、環境に配慮して、ポリビニルアルコール等の水溶性樹脂を使用し、水系インキ組成物とすることも好適である。
【００４１】
（コレステリック液晶顔料インキ）
液晶顔料をインキ化する際の樹脂としての電離放射線硬化性樹脂には、次のようなアクリル系のものが使用できる。即ち、アクリル酸、脂肪族系アクリレート、アリルアクリレート、アリル化シクロヘキシルアクリレート、ベンジルアクリレート、ビスフェノールＡジアクリレート、エピクロルヒドリン変性ビスフェノールＡジアクリレート、エチレンオキサイド変性ビスフェノールＡジアクリレート、エピクロルヒドリン・エチレンオキサイド変性ビスフェノールＡジアクリレート、エチレンオキサイド変性ビスフェノールＳジアクリレート、エチレングリコール系アクリレート、プロピレングリコール系アクリレート、ブチレングリコール系アクリレート、ネオペンチルグリコール系アクリレート、ブトキシエチルアクリレート、エピクロルヒドリン変性脂肪族アクリレート、環状脂肪族系アクリレート、Ｎ、Ｎ−ジメチルアミノエチルアクリレート、Ｎ、Ｎ−ジエチルアミノエチルアクリレート、ペンタエリスリトールテトラアクリレート、ペンタエリスリトールトリアクリレート、ジペンタエリスリトールヘキサアクリレート、ジペンタエリスリトールモノヒドロキシペンタアクリレート、アルキル変性ジペンタエリスリトールペンタアクリレート、アルキル変性ジペンタエリスリトールテトラアクリレート、アルキル変性ジペンタエリスリトールトリアクリレート、カプロラクトン変性ペンタエリスリトールヘキサアクリレート、エチレンオキサイド変性ビスフェノールＡジアクリレート、ジトリメチロールプロパンテトラアクリレート、ビスフェノール系エポキシアクリレート、グリセロール系アクリレート、グリシジルアクリレート、オリゴエステル系アクリレート、ポリエステル系アクリレート、リン酸エステル系アクリレート、エチレンオキサイド変性フタル酸アクリレート、エチレンオキサイド変性フタル酸系アクリレート、エピクロルヒドリン変性フタル酸系アクリレート、もしくはウレタン系アクリレート等が使用できる。
また、次のようなメタクリル系のものも使用でき、具体的には、アクリル系として上に掲げたものの対応メタクリル酸、対応メタクリル酸エステルを使用することができる。このほか、電離放射線硬化性樹脂としては、Ｎ−ビニルピロリドン等のビニル系光重合性モノマーもしくはオリゴマーを使用することができる。電離放射線硬化性樹脂としては、上記したような物質のモノマーもしくはオリゴマーの１種類もしくは２種類以上を用いることが出来る。
【００４２】
電離放射線硬化性樹脂を樹脂として使用する場合であって、電離放射線として紫外線を使用する場合には、公知の光重合開始剤を配合する。光重合開始剤としては、ベンゾフェノン系、ベンジル系、ベンゾイン系、安息香酸系、チオキサンソン系、フェニルケトン系、オキシム系等の有機低分子化合物、オリゴマー、もしくは高分子化合物を使用することができる。光重合開始剤は、配合比が過大であると、重合度が減少し、配合比が過小であると、重合速度および重合率が減少し、いずれにしても、乾燥特性および印刷後の皮膜強度等に悪影響があるため、好ましくは、樹脂である電離放射線硬化性樹脂１００部に対し、０．３〜２０部の質量比で使用することが好ましい。
液晶顔料の粒径は、一般的な平版用インキや凸版用インキに使用されている顔料粒子の粒径にくらべて大きいので、過大に配合すると、インキの流動性が乏しくなる恐れ、もしくは硬化性が低下する恐れがあり、また、過小であると、顔料としての演色効果が薄れるため、好ましくは、樹脂である電離放射線硬化性樹脂１００部に対し、５〜１００部の
質量比で使用することが好ましい。
液晶顔料をインキ化する際の樹脂としての酸化重合性樹脂には、次のようなものが使用できる。
即ち、ロジン等の天然樹脂、硬化ロジン、ロジンエステル、ロジン由来マレイン酸樹脂、もしくはロジン由来フマル酸樹脂等の天然樹脂誘導体、フェノール樹脂、ロジン変性フェノール樹脂、ロジン変性キシレン樹脂、脂肪酸変性キシレン樹脂、あまに油変性アルキド樹脂、もしくは大豆油変性アルキド樹脂等の合成樹脂を使用することが出来る。
上記の酸化重合性樹脂には、粘度の調整、乾燥速度の調整の目的で、通常、油分を配合する。具体的な油分としては、亜麻仁油、しなきり油、オイチシカ油、麻実油、サフラワー油、大豆油、やし油、トール油、ひまし油、もしくは綿実油等の植物油、もしくは植物油を加工して得られる重合油、マレイン酸等の加工油、またはマシン油もしくはスピンドル油等の鉱物油を使用することが出来る。
酸化重合性樹脂を使用する際には、油分の他に、種々の溶剤もしくは添加剤を配合することができる。溶剤としては、脂肪族炭化水素系、芳香族炭化水素系、アルコール系、グリコール系、エステル系、もしくはケトン系等の溶剤を使用することが出来る。この他、添加剤として、可塑剤（フタル酸エステル、アジピン酸エステル、もしくはセバシン酸エステル等）、ワックス（カルナバワックス、木ろう、パラフィンワックス、ポリエチレンワックス、もしくはポリテトラフロロエチレン等）、ドライヤー（コバルト系、もしくはマンガン系金属石けん等）、分散剤（高分子もしくは低分子の界面活性剤等）、増粘剤（アルミニウムキレート等）、消泡剤（シリコーン等）、酸化防止剤（フェノール系、もしくはオキシム系等）、レベリング剤（シリコーン等）、または紫外線吸収剤（ベンゾフェノン系、もしくはトリアゾール系等）を使用することが出来る。
【００４３】
樹脂として酸化重合性樹脂を使用する際には、酸化重合性樹脂、油分、および溶剤分が主成分となるビヒクル成分は、電離放射線硬化性樹脂にくらべると一般的に酸価が高く、ビヒクル成分自身が分散剤的な効果を示すため、液晶顔料の配合比を高くすることが可能である。しかし、液晶顔料の粒径が大きいため、過大に配合すると、インキの流動性が乏しくなる恐れ、もしくは硬化性が低下する恐れがあり、また、過小であると、顔料としての演色効果が薄れる恐れがあり、好ましくは、樹脂である酸化重合性樹脂、および油分の合計量１００部に対し、５〜１５０部の質量比で使用することが好ましい。
さらに液晶顔料をインキ化する際の樹脂として、アクリル樹脂、セルロース樹脂、ポリスチレン、ポリエステル、ポリ酢酸ビニル、メラミン樹脂、エポキシ樹脂、フェノール樹脂等もしくは、これらの混合体や、共重合体等を適宜用いることができる。
その他の添加剤は、パール顔料等を用いた色彩可変インキ組成物と同様のものが使用できる。
使用される溶剤もパール顔料等を用いた色彩可変インキ組成物と同様のものが使用できる。
これらの色彩可変インキ組成物を用いて、適宜な印刷方法により色彩可変インキ層１を形成すると、観察する光の入射角度が０度から７０度へと変化する際に、反射する光の波長が、あたかも「レッドシフト」するかのごとく観察される。
この「レッドシフト」はあらかじめ設計されたものであるから、この変化を目視にて確認することにより、その真正性を簡易ながらも確実な方法で確認することができる。
もちろん、この「レッドシフト」としての変化の中に、得意な反射光を挿入したり、途中で反射光が途切れる等の得意な変化を盛り込んだ場合は、もはや、本発明のインキ組成物から形成した色彩可変インキ層１の反射光の挙動を詳細に分析しても、同様の挙動をしめる色彩可変インキ組成物を作り出すことは困難と思われる。
【００４４】
（ホログラム形成層）
ホログラム形成層２を構成するための透明な樹脂材料としては、各種の熱硬化性樹脂、熱可塑性樹脂、電離放射線硬化樹脂等の各種樹脂材料が選択可能である。例えば、熱硬化性樹脂として、不飽和ポリエステル樹脂、アクリルウレタン樹脂、エポキシ変性アクリル樹脂、エポキシ変性不飽和ポリエステル樹脂、アルキッド樹脂、フェノール樹脂等が挙げられる。熱可塑性樹脂としてはアクリル酸エステル樹脂、アクリルアミド樹脂、ニトロセルロース樹脂、ポリスチレン樹脂等が挙げられる。これらの樹脂は単独、または２種類以上の共重合体として使用することができる。また、これらの樹脂は単独、または２種類以上を各種イソシアネート樹脂や、ネフテン酸コバルト、ナフテン酸亜鉛等の金属石鹸ベンゾイルパーオキサイド、メチルエチルケトンパーオキサイド等の過酸化物、ベンゾフェノン、アセトフェノン、アントラキノン、ナフトキノン、アゾビスイソブチロニトリル、ジフェニルスルフィド等の熱または紫外線硬化剤を配合してもよい。また、電離放射線硬化型樹脂としては、エポキシアクリレート、ウレタンアクリレート、アクリル変性ポリエステル等が挙げられる。このような電離放射線硬化型樹脂に架橋構造、粘度調整等を目的として、他の単官能または多官能モノマー、オリゴマー等を抱合させることができる。
ホログラム形成層２は、感光性樹脂材料にホログラムの干渉露光を行って現像することによって直接的に形成することもできるが、予め作製したレリーフホログラムもしくはその複製物、またはそれらのメッキ型等を複製用型として用い、その型面を上記の樹脂材料に押し付けることにより、賦型を行うこともできる。熱硬化性樹脂や電離放射線硬化性樹脂を用いる場合には、型面に未硬化の樹脂を密着させたまま、加熱または電離放射線照射により硬化を行い、硬化後に剥離することによって、硬化した透明な樹脂材料からなる層の片面にレリーフホログラムの微細凹凸を形成することができる。なお、本発明では、同様な方法によりパターン状に形成して模様状とした回折格子を有する回折格子形成層もホログラム形成層に含めるものとする。また、ホログラム形成層２および回折格子形成層を合わせたものも含める。
【００４５】
前記電離放射線硬化性樹脂としては、好ましくは、（１）分子中にイソシアネート基を３個以上有するイソシアネート類、（２）分子中に水酸基を少なくとも１個と（メタ）アクリロイルオキシ基を少なくとも２個有する多官能（メタ）アクリレート類、又は（３）分子中に水酸基を少なくとも２個有する多価アルコール類の反応生成物であるウレタン（メ
タ）アクリレートオリゴマーを含有する電離放射線硬化性樹脂を用い、好ましくはポリエチレンワックスを含ませて、塗布し乾燥して電離放射線で硬化させて、電離放射線硬化樹脂とすればよい。
前記ウレタン（メタ）アクリレートオリゴマーを含有する電離放射線硬化性樹脂は、ウレタン（メタ）アクリレートオリゴマーを含有する電離放射線硬化性樹脂の硬化物、具体的には、特開２００１−３２９０３１号公報で開示されている光硬化性樹脂などが例示できる。具体的には、ＭＨＸ４０５ニス（ザ・インクテック（株）製、電離放射線硬化性樹脂商品名）が例示できる。
（ホログラム形成層の形成）
ホログラム形成層２の形成は、上記の電離放射線硬化性樹脂を主成分とし、光重合開始剤、可塑剤、安定剤、界面活性剤等を加え、溶媒へ分散または溶解して、色彩可変インキ層１上に、ロールコート、グラビアコート、コンマコート、ダイコートなどコーティング方法で塗布し乾燥して、ホログラム（レリーフ）を賦型後に電離放射線で反応（硬化）させればよい。ホログラム形成層２の厚さは、通常、１〜１０μｍ程度、好ましくは２〜５μｍである。
（ホログラム）
次に、ホログラム形成層２の表面には、ホログラムなどの光回折効果の発現する所定の微細な凹凸（レリーフ構造）を賦型し、硬化させる。ホログラムは物体光と参照光との光の干渉による干渉縞を凹凸のレリーフ形状で記録されたもので、例えば、フレネルホログラム等のレーザ再生ホログラム、及びレインボーホログラム等の白色光再生ホログラム、さらに、それらの原理を利用したカラーホログラム、コンピュータジェネレーティッドホログラム（ＣＧＨ）、ホログラフィック回折格子などがある。
【００４６】
ホログラム形成層２面へ、ホログラムレリーフ２ｂを形成する方法は、種々の方法によって形成でき、例えば、回折格子やホログラムの干渉縞を表面凹凸のレリーフとして記録する場合には、回折格子や干渉縞が凹凸の形で記録された原盤をプレス型として用い、上記樹脂層上に前記原版を重ねて加熱ロールなどの適宜手段により、両者を加熱圧着することにより、原版の凹凸模様（ホログラムレリーフ形状。）を複製することができる。
この方法を用いて、色彩可変インキ層１上に、直接、同様のレリーフ形状を形成することができる。この場合は、ホログラム形成層２は不要である。
また、ホログラム形成層２に形成するホログラムパターンは単独でも、複数でもよい。ホログラム形成層２は、スタンパでエンボス中、又はエンボス後に、電離放射線を照射して、電離放射線硬化性樹脂を硬化させる。上記の電離放射線硬化性樹脂は、レリーフを形成後に、紫外線や電子線などの電離放射線を照射して硬化（反応）させると電離放射線硬化樹脂（微細な凹凸＝レリーフ構造＝ホログラム）となる。この方法は、比較的低温・低圧力下で賦形できるため、色彩可変インキ層１へのダメージを少なくすることができる。
さらに、ホログラムレリーフ２ｂもしくは、ホログラム形成層２は、色彩可変インキ層１に対して、観察側に設けてもよい。
ホログラム形成層２には、反射層を設けてもよい。ホログラム形成層２のホログラムレリーフ２ｂ面に追従するように反射性薄膜層を形成する。この薄膜層は、入射した光を反射する必要があるため、ホログラム形成層２よりも高い屈折率を有する薄膜層であれば、特に限定されない。
反射性薄膜層としては、真空蒸着法、スパッタリング法、イオンプレーティング法などにより形成される金属薄膜などの可視光をほぼ全波長域に渡り反射する金属光沢反射層、又は、特定の波長の光のみを反射するため、観察方向等により透明に見える透明反射層のいずれも用いることができるが、金属光沢反射層を部分的に設けたり、透明反射層を設けた場合は、その透明反射層を通してセキュリティ対象物のデザイン等を確認できるので好ましい。
反射性薄膜層を形成するための金属材料としては、Ａｌ、Ｃｒ、Ｔｉ、Ｆｅ、Ｃｏ、Ｎｉ、Ｃｕ、Ａｇ、Ａｕ、Ｇｅ、Ｍｇ、Ｓｂ、Ｐｂ、Ｃｄ、Ｂｉ、Ｓｎ、Ｓｅ、Ｉｎ、Ｇａ、もしくはＲｂ等の金属、またはそれら金属の酸化物もしくは窒化物等を用いることができ、これらのうちから１種もしくは２種以上を組み合わせ用いることができる。これらの中でも、Ａｌ、Ｃｒ、Ｎｉ、Ａｇ、またはＡｕ等が特に好ましく、その膜厚としては１ｎｍ〜１０，０００ｎｍが好ましく、より好ましくは２ｎｍ〜２００ｎｍである。
反射性薄膜層は、パターン状（部分的に形成。）とすることもできる。例えば、反射性薄膜層を全面に形成した後、不要部分を除去する方法を用いることもできる。
反射性薄膜層のパターン形状は、色彩可変インキ層のパターン、ホログラムデザイン、セキュリティ対象物のデザインと調和もしくは関連させることも好適であるが、単純パターンとしてもよく、左右方向の幅が狭く上下方向に長い四角形が等間隔で配列した反射層が等間隔に、例えば、四角形の左右方向の長さ（即ち幅）と等しい間隔を有して配列したことによる縞状のパターンであってもよいし、または、幾何学形状（長方形と星形等）であってもよい。また、パターンは、以上のような具体的なパターンをポジパターンとするとき、それらのネガパターンであってもよい。なお、これらのパターンは例示であって、パターンは、幾何学形状以外の文字や記号であってもよい。
【００４７】
パターンの大きさは、肉眼で解像し得る範囲で小さくしてもよく、例えば形状が四角形であれば、縦横が１ｍｍ×１ｍｍ以上とすることができ、好ましくは３ｍｍ×３ｍｍ以上であり、より好ましくは５ｍｍ×５ｍｍ以上である。幾何学形状の場合には、円形であれば、直径を１ｍｍ以上とすることができ、好ましくは３ｍｍ以上、より好ましくは５ｍｍ以上とすることができ、そのほかの形状の場合には、内接円の直径を、例えば１ｍｍ以上とすることができ、好ましくは３ｍｍ以上、より好ましくは５ｍｍ以上とすることができる。
これらのパターンの空いた部分に被転写体上の自動認識情報を位置あわせしてもよい。
逆に、反射性パターン層は、微細パターン状に積層されていてもよい。この場合のパターン（微細パターン）は、左側下方から上方右側へ向かって有限幅の線条からなる反射層を、幅方向に幅の２倍程度のピッチで配列した万線パターン状の微細パターンを構成したものであってもよく、または、円形状もしくは四角形状の微細な形状の反射層を等ピッチで配列したものであってもよい。こうすると、パターン反射層が金属薄膜であっても、透明性を有し、そのパターン反射層の下にあるデザインを目視することができる。
これらの微細パターンは例示であって、微細パターンを構成するパターン自体は、自由に決めることができるので、万線パターン状や網点状以外の幾何学形状、文字または記号等の形状のものであってもよい。微細パターンを構成するパターンの大きさは、通常の観察では観察しにくいか、または観察不可能な微細なものであることが好ましく、万線パターン状の場合、線の幅を、例えば０．３ｍｍ以下、好ましくは０．１ｍｍ以下とすることができる。前記パターンは、形成可能である範囲で小さくすることもできるが、実際上０．０１ｍｍ程度以上であることが好ましい。網点が円形状の場合には、直径を、例えば０．３ｍｍ以下、好ましくは０．１ｍｍ以下とすることができ、０．０１ｍｍ程度以上であることが好ましい。また、網点が四角形状の場合には、縦横を、例えば０．３ｍｍ×０．３ｍｍ以下、好ましくは０．１ｍｍ×０．１ｍｍ以下とすることができ、０．０１ｍｍ×０．０１ｍｍ程度以上であることが好ましい。そのほかの形状の場合には、内接円の直径を、例えば０．３ｍｍ以下、好ましくは０．１ｍｍ以下とすることができ、０．０１ｍｍ程度以上とすることが好ましい。この微細パターンの中に、２次元バーコード等の情報を含めることも好適である。
反射性薄膜層のパターンが微細パターンをである場合、反射性薄膜層の面積率は、例えば２０％〜８０％であり、好ましくは３０％〜６０％である。
【００４８】
また、反射性を高めるために、透明反射層を付加してもよい。透明反射層は、ホログラム形成層２のホログラムレリーフ２ｂ面へ、透明反射層へ設けることにより、レリーフの反射及び／又は回折効果を高めるので、ホログラム形成層２の反射率より高く又は低ければ、特に限定されない。前記透明反射層としては、真空薄膜法などによる透明反射層である。
透明反射層としては、ほぼ無色透明な色相で、その光学的な屈折率がホログラム形成層２のそれとは異なることにより、金属光沢が無いにもかかわらず、ホログラムなどの光輝性を視認できる。例えば、ホログラム形成層２よりも光屈折率の高い薄膜、および光屈折率の低い薄膜とがあり、前者の例としては、ＺｎＳ、ＴｉＯ2、Ａｌ2Ｏ3、Ｓｂ2Ｓ3、ＳｉＯ、ＳｎＯ2、ＩＴＯ等があり、後者の例としては、ＬｉＦ、ＭｇＦ2、ＡｌＦ3がある。好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕ等の酸化物又は窒化物他はそれらを２種以上を混合したもの等が例示できる。透明金属化合物の形成は、金属の薄膜と同様、ホログラム形成層２のレリーフ面に、１０〜２０００ｎｍ程度、好ましくは２０〜１０００ｎｍの厚さになるよう、蒸着、スパッタリング、イオンプレーティング、ＣＶＤなどの真空薄膜法などにより設ければよい。
【実施例】
【００４９】
以下、実施例及び比較例により、本発明を更に詳細に説明するが、これに限定されるものではない。なお、溶剤を除き、各層の各組成物は固形分換算の質量部である。
（実施例１）
色彩可変顔料１ａとして、パール顔料を使用し色彩可変インキ組成物を作成した。
色彩可変顔料１ａとして、メルク社製イリオジンタイプ顔料Ｂ（天然雲母薄片上に酸化チタン１００ｎｍ被覆、粒径５〜２５μｍ、厚さ２〜５μｍ：０度反射１５００ｎｍ、７０度反射７００ｎｍ）と同社製イリオジンタイプ顔料Ｃ（天然雲母薄片上に酸化チタン３００ｎｍ被覆、粒径５〜２５μｍ、厚さ２〜５μｍ：０度反射４５０ｎｍ、７０度反射２００ｎｍ）を同量混合し、下記インキ組成物とした。顔料の凝集防止と、均一分散のため２ｍｍ径ガラズビーズをいれたボールミルにて３０分処理し、色彩可変インキ組成物とした。
＜インキ組成物＞
顔料Ｂ                                                            １０質量部
顔料Ｃ                                                            １０質量部
ウレタン系アクリレート（屈折率ｎ＝１．４９）                      ３０質量部
酢酸エチル                                                        ２０質量部
酢酸イソブチル                                                    １０質量部
メチルイソブチルケトン                                            １０質量部
ベンゾフェノン系光開始剤                                        ０．１質量部
この色彩可変インキ組成物を厚さ２５μｍのＰＥＴフィルム上に乾燥後の厚さ５μｍとなるようブレードコート（ブレードのシェアを掛けながらコーティング）し、紫外線を照射して硬化し、色彩可変インキ層１を得た。
この色彩可変インキ層１上に、物理特性の高い電子線硬化性樹脂組成物を塗布し、星マークを再生像とするホログラムの複製用型の型面を接触させたまま電子線を照射して、透明電子線硬化性樹脂組成物をを硬化させることにより、厚さ５μｍのホログラム形成層２及びホログラムレリーフ２ｂを形成した。そのホログラムレリーフ２ｂ上に、反射性アルミニウム薄膜１００ｎｍを真空蒸着法により設けて、その上にエッチング用レジストインキ（株式会社昭和インク工業所製）をナイフコート方式により３μｍ塗布し、パターン露光・現像し、１５ｍｍサイズの星マークと、５ｍｍ高さ、幅１００μｍのバーコード５本部分のみレジストインキを残した。
これを１％ＮａＯＨ水溶液を用いてエッチングを行い不要部のアルミニウム薄膜を除去して、所望の反射性パターン層を得て、色彩可変機能付き真偽判定体Ａとした。
この色彩可変機能付き真偽判定体Ａに観察する光３をインキ層面に垂直な方向であて、反射光４をほぼ同じ方向で観察したところ、紫色から青色を観察することができ、且つ、その少しずれた角度で若干黄色を帯びた星マークのホログラムを観察することができた。
さらに、観察する光３をインキ層面に垂直な方向から７０度傾けて入射し、同様の角度で反対方向にでてくる反射光４を観察したところ、赤色を観察することができた。これによりいわゆる「レッドシフト」と、「ホログラム再生像」を確認できた。
この色彩可変インキ層形成物を、２０ｍｍ×２０ｍｍの小片として、粘着剤を塗布してセキュリティ対象物であるクレジットカード上に貼付したところ、観察角度による見え方が通常の「ブルーシフト」でなく、いわゆる「レッドシフト」及び「ホログラム再生像」として見えたため、その真正性を目視にて極めて容易に確認することができた。
【００５０】
（実施例２）
色彩可変インキ層１に対して、直接、星マークを再生像とするホログラムの複製用型の型面を接触させ１５０℃、５ｋｇ／ｃｍ２の圧力にて色彩可変インキ層の表面にホログラムレリーフを形成した以外（ホログラム形成層なし。）は、実施例１と同様にして実施例２を得た。
効果は実施例１と同様であったが、全体厚さが５μｍであり、転写箔等への加工性を有すると思われた。
（実施例３）
ホログラム形成層２を２５μｍのＰＥＴフィルムの色彩可変インキ層１の反対側に形成した以外は実施例１と同様にして実施例３を得た。
効果は実施例１と同様であったが、ホログラムレリーフ形成がより正確に形成できた。
（実施例４）
色彩可変顔料１ａとしてエフェクト顔料を用い、シリラックタイプ顔料Ｂ（アルミナフレーク上に酸化チタン４０〜６０ｎｍ被覆、粒径１５〜３０μｍ、厚さ３〜５μｍ）と同社製シリラックタイプ顔料Ｃ（アルミナフレーク上に酸化チタン１４０〜１６０ｎｍ被覆、粒径５〜１０μｍ、厚さ１〜３μｍ）を同量混合し、色彩可変インキ層厚さを１０μｍとし、反射性薄膜層を二酸化チタンを用いて厚さ１０ｎｍの透明薄膜層にした以外は実施例１と同様にして実施例４を得た。
効果は実施例１と同様であったが、セキュリティ対象物上に貼付した後の観察において、実施例１より赤色が鮮明に観察され、透明薄膜層の下のデザインも確認することができた。
（実施例５）
色彩可変顔料１ａとして、下記液晶顔料を使用した色彩可変インキ組成物を用いた。
＜色彩可変顔料Ｂ＞
独ワッカー社製ヘリコーンＨＣサファイヤＸＳ                      ２０質量部
独ワッカー社製ヘリコーンＨＣメイプルＸＳ                        ２０重量部
ポリエステル系アクリレート                                      ２０質量部
酢酸エチル                                                      ３０質量部
酢酸イソブチ                                                    １０質量部
ベンゾフェノン系光開始剤                                      ０．１質量部
とした以外は実施例１と同様にして、実施例５を得た。
実施例１と同様の観察において、いわゆる「レッドシフト」と「ホログラム再生像」を確認でき、容易に真正性を確認することができた。
【００５１】
（比較例１）
パール顔料として、メルク社製パール顔料カラーストリーム スタンダードモデルＦ１０−０１ヴィオラファンタジーを用いた以外は実施例１と同様にして比較例１を得た。
実施例１と同様に観察したところ、赤色から緑色そして青色と一般的に観察される「ブルーシフト」を確認した。
この変化はありふれており、真正性確認には不十分と思われた。
（評価試験）観察光は、通常の白色光源を用い、観察物を水平な台上において、図１のように垂直方向から光をあて、同方向に逆に反射してくる光を目視にて観察。さらに、図２のように、垂直方向から７０度傾いた方向から光をあて、逆方向に反射してくる光を目視にて観察した。
（評価結果）
実施例１〜５は、いわゆる「レッドシフト」と「ホログラム再生像」を観察することができた。このことから、十分な真正性を確認できると判断された。
比較例１は、上記した通り、一般的に観察される「ブルーシフト」を確認した。この色彩変化では、真正性確認には不十分と思われた。
【符号の説明】
【００５２】
Ａ  ：本発明の１実施例を示す色彩可変機能付き真偽判定体
Ａ´：本発明の別の実施例を示す色彩可変機能付き真偽判定体
１  ：色彩可変インキ層
１ａ：選択的に反射する光の波長が変化する顔料
（パール顔料、液晶顔料等）
２  ：ホログラム形成層
２ｂ：ホログラムレリーフ
３  ：観察する光
４  ：反射する光
【図１】
2010195001.tif 000017
【図２】
2010195001.tif 000018